(57)【要約】【課題】パイプラインシステム及びその作動方法、より詳細には、パイプラインシステム環境における異なる応答モードの用途を提供する。【解決手段】応答フラグ（２７０）の状態を制御する少なくとも１つのモードを提供し、ターゲット装置（２２０、２３０）がイニシエータ（２０５、２１０、２１５）に応答することができない場合に対して準備するパイプラインネットワーク。【選択図】図２
2004533066.tif 000002
【特許請求の範囲】
【請求項１】
要求を出すように構成された少なくとも１つのイニシエータ装置と、
少なくとも１つのイニシエータからの要求を受信するように連結された少なくとも１つのターゲット装置と、
該要求を受信するように構成されたターゲット装置と、
イニシエータ装置及びターゲット装置間に要求と要求に対する応答とを出すための回線と、各ターゲット装置及び少なくとも１つのイニシエータ装置間に連結された応答フラグとを含むバス信号線と、
を含み、
前記ターゲット装置は、
前記要求に対して情報サービスを提供するのに該ターゲット装置内の空間が利用可能である場合に、利用可能応答なし（ＮＲＡ）応答が選択的に出され、応答フラグが第１の状態に設定される第１のモードと、
前記要求に対して情報サービスを提供するのに前記ターゲット装置内の空間が利用可能であり、該ターゲット装置のポートが使用中でない場合に、「ＮＲＡ」応答が選択的に出され、前記応答フラグが前記第１の状態に設定される第２のモードと、
「ＮＲＡ」応答が選択的に出され、該応答フラグが該第１の状態に設定される第３のモードと、
イニシエータ装置の要求に対して情報サービスを提供するのにターゲット装置が利用可能でない時に、該イニシエータ装置に対して「ＮＲＡ」及び応答フラグを出すのに利用するための前記モードを選択する制御論理回路と、
を有する前記要求に応答するための論理回路を含む、
ことを特徴とするパイプラインネットワーク。
【請求項２】
前記制御論理回路は、静的制御論理、プログラム制御論理、ソフトウエア制御論理、及び配線制御論理から成るグループから選択されることを特徴とする請求項１に記載のパイプラインネットワーク。
【請求項３】
前記論理回路は、「ＮＲＡ」応答を出すように構成された応答論理回路と、前記応答フラグを前記第１の状態又は前記第２の状態に選択的に置くように構成された応答フラグ論理回路とを含むことを特徴とする請求項１に記載のパイプライン。
【請求項４】
前記論理回路は、早期フロー制御モードが第１の状態にある場合に、「ＮＲＡ」が選択的に出され、前記応答フラグが該第１の状態に設定される第４のモードを更に含むことを特徴とする請求項３に記載のパイプライン。
【請求項５】
前記制御論理回路は、前記第１、第２、及び第３モードのうちの１つと前記第４及び第５モードのうちの１つとを選択し、該選択されたモードに対応する前記応答フラグの状態を論理的に結合して前記少なくとも１つのイニシエータ装置によって受信される応答フラグを発生させることを特徴とする請求項４に記載のパイプライン。
【請求項６】
要求を出すように構成された少なくとも１つのイニシエータ装置と、
少なくとも１つのイニシエータからの要求を受信するように連結された少なくとも１つのターゲット装置と、
該要求を受信するように構成されたターゲット装置と、
イニシエータ装置及びターゲット装置間に要求と要求に対する応答とを出すための回線と、各ターゲット装置及び少なくとも１つのイニシエータ装置間に連結された応答フラグとを含むバス信号線と、
を含み、
前記ターゲット装置は、
早期フロー制御モードが非アクティブ状態にある場合に、利用可能応答なし（ＮＲＡ）応答が選択的に出され、応答フラグが第１の状態に設定される第１のモードと、
「ＮＲＡ」応答が選択的に出され、該応答フラグが該第１の状態に設定される第２のモードと、
イニシエータ装置の要求に対して情報サービスを提供するのにターゲット装置が利用可能でない時に、該イニシエータ装置に対して「ＮＲＡ」及び応答フラグを出すのに利用するための前記モードを選択する制御論理回路と、
を有する前記要求に応答するための論理回路を含む、
ことを特徴とするパイプラインネットワーク。
【請求項７】
前記制御論理回路は、静的制御論理、プログラム制御論理、ソフトウエア制御論理、及び配線制御論理から成るグループから選択されることを特徴とする請求項６に記載のパイプラインネットワーク。
【請求項８】
前記論理回路は、「ＮＲＡ」応答を出すように構成された応答論理回路と、前記応答フラグを前記第１の状態又は前記第２の状態に選択的に置くように構成された応答フラグ論理回路とを含むことを特徴とする請求項６に記載のパイプライン。
【請求項９】
要求を出すように構成された少なくとも１つのイニシエータ装置と、
少なくとも１つのイニシエータからの要求を受信するように連結された少なくとも１つのターゲット装置と、
該要求を受信するように構成されたターゲット装置と、
イニシエータ装置及びターゲット装置間に要求と要求に対する応答とを出すための回線と、各ターゲット装置及び少なくとも１つのイニシエータ装置間に連結された応答フラグとを含むバス信号線と、
を含み、
前記ターゲット装置は、
第１の条件が存在する場合に、利用可能応答なし（ＮＲＡ）応答が選択的に出され、応答フラグが第１の状態に設定される第１のモードと、
第２の条件が存在する場合に、「ＮＲＡ」応答が選択的に出され、該応答フラグが該第１の状態に設定される第２のモードと、
イニシエータ装置の要求に対して情報サービスを提供するのにターゲット装置が利用可能でない時に、該イニシエータ装置に対して「ＮＲＡ」及び応答フラグを出すのに利用するための前記モードを選択する制御論理回路と、
を有する前記要求に応答するための論理回路を含む、
ことを特徴とするパイプラインネットワーク。
【請求項１０】
前記制御論理回路は、前記第１及び第２モードに対応する前記応答フラグの状態を論理的に結合して前記少なくとも１つのイニシエータ装置によって受信される応答フラグを発生させることを特徴とする請求項９に記載のパイプライン。
【請求項１１】
前記第１の条件は、前記要求に対して情報サービスを提供するための前記ターゲット装置内の空間利用可能性、及び該ターゲット装置が使用中か否かを含むことを特徴とする請求項９に記載のパイプライン。
【請求項１２】
前記第２の条件は、早期フロー制御の状態を含むことを特徴とする請求項９に記載のパイプライン。
【請求項１３】
要求を出すように構成された少なくとも１つのイニシエータ装置と、少なくとも１つのイニシエータ装置からの要求を受信するように連結された少なくとも１つのターゲット装置とを含むパイプラインネットワークにおいて、ターゲット装置がイニシエータ装置の要求に対して情報サービスを提供するのに利用可能でないことをイニシエータ装置に通知する方法であって、
要求に対して情報サービスを提供するためのターゲット装置内の空間が利用可能であり、該ターゲット装置が使用中である場合に、利用可能応答なし（ＮＲＡ）応答を選択的に出し、応答フラグを第１の状態に設定する段階と、
前記要求に対して情報サービスを提供するための前記ターゲット装置内の空間が利用可能であり、該ターゲット装置のポートが使用中でない場合に、「ＮＲＡ」応答を選択的に出し、前記応答フラグを前記第１の状態に設定する段階と、
該「ＮＲＡ」応答を選択的に出し、該応答フラグを該第１の状態に設定する段階と、
イニシエータ装置の要求に対して情報サービスを提供するのにターゲット装置が利用可能でない場合に、該イニシエータ装置に出すための応答を選択する段階と、
を含むことを特徴とする方法。
【請求項１４】
選択する段階は、実行時点及びネットワーク設定時点から成るグループから選択された時点で実行されることを特徴とする請求項１３に記載の方法。
【請求項１５】
早期フロー制御モードが第１の状態にある場合に、「ＮＲＡ」応答を選択的に出し、前記応答フラグを前記第１の状態に設定する段階を更に含むことを特徴とする請求項１３に記載の方法。
【請求項１６】
前記少なくとも１つのイニシエータ装置によって受信される応答フラグを発生させるために、選択された応答の応答フラグ状態を論理的に結合する段階を更に含むことを特徴とする請求項１５に記載の方法。
【請求項１７】
要求を出すように構成された少なくとも１つのイニシエータ装置と、少なくとも１つのイニシエータ装置からの要求を受信するように連結された少なくとも１つのターゲット装置とを含むパイプラインネットワークにおいて、ターゲット装置がイニシエータ装置の要求に対して情報サービスを提供するのに利用可能でないことをイニシエータ装置に通知する方法であって、
早期フロー制御モードが第１の状態にある場合に、利用可能応答なし（ＮＲＡ）応答を選択的に出し、応答フラグを第１の状態に設定する段階と、
該「ＮＲＡ」応答を選択的に出し、該応答フラグを該第１の状態に設定する段階と、
イニシエータ装置の要求に対して情報サービスを提供するのにターゲット装置が利用可能でない場合に、該イニシエータ装置に出すための応答を選択する段階と、
を含むことを特徴とする方法。
【請求項１８】
選択する段階は、実行時点及びネットワーク設定時点から成るグループから選択された時点で実行されることを特徴とする請求項１７に記載の方法。
【請求項１９】
要求を出すように構成された少なくとも１つのイニシエータ装置と、少なくとも１つのイニシエータ装置からの要求を受信するように連結された少なくとも１つのターゲット装置とを含むパイプラインネットワークにおいて、ターゲット装置がイニシエータ装置の要求に対して情報サービスを提供するのに利用可能でないことをイニシエータ装置に通知する方法であって、
第１の条件が存在する場合に、利用可能応答なし（ＮＲＡ）応答を選択的に出し、応答フラグを第１の状態に設定する段階と、
第２の条件が存在する場合に、「ＮＲＡ」応答を選択的に出し、該応答フラグを該第１の状態に設定する段階と、
イニシエータ装置の要求に対して情報サービスを提供するのにターゲット装置が利用可能でない場合に、該イニシエータ装置に出すための応答を選択する段階と、
を含むことを特徴とする方法。
【請求項２０】
前記少なくとも１つのイニシエータ装置によって受信される応答フラグを発生させるために、前記第１及び第２の条件に対応する応答フラグの状態を論理的に結合する段階を更に含むことを特徴とする請求項１９に記載の方法。
【請求項２１】
前記第１の条件は、前記要求に対して情報サービスを提供するための前記ターゲット装置内の空間利用可能性、及び該ターゲット装置が使用中か否かを含むことを特徴とする請求項１９に記載の方法。
【請求項２２】
前記第２の条件は、早期フロー制御の状態を含むことを特徴とする請求項１９に記載の方法。
【発明の詳細な説明】
【技術分野】
【０００１】
本発明は、パイプラインシステム及びその作動方法に関する。より詳細には、本発明は、パイプラインシステム環境における異なる応答モードの用途に関する。
【背景技術】
【０００２】
図１に示すようなパイプラインシステムでは、１つ又はそれ以上のイニシエータ装置５、１０、及び１５は、ターゲット装置２０及び２５に対してバス３０を通して要求を通信する。要求を受信するターゲット装置２０及び２５は、バス３０を通じて要求のイニシエータ５、１０、及び１５に対して応答を出す。パイプラインバスは、イニシエータからターゲットに要求を転送するための固定長のパイプラインプロトコルを有する。パイプラインは、ターゲットが応答を入れるべき固定スロットを有する。これは、深さが３クロックサイクルのパイプラインプロトコルを示す図１Ｂに図示されている。すなわち、イニシエータ４５、５０、及び５５によって駆動された要求４０は、ターゲット装置によって応答６０、６５、７０、及び７５が出される前に３クロックサイクルの待ち時間を有する。応答のためのこれらの固定スロットは、ターゲットによって利用されるべきである。
【０００３】
ターゲットが遅く、時間内に利用可能な応答を出さない場合は、プロトコルは、要求が単一のパイプライン深さ以内で完了することはできないが、その代わりに後で再試行する必要があることをイニシエータに事実上知らせる特別な「利用可能な応答なし」（ＮＲＡ）応答がイニシエータ装置に与えられるように準備する。要求をいつ再試行するかを決定する複数の任意選択肢がある。最も簡単なのは、イニシエータが「ＮＲＡ」応答を受信してすぐに要求を再試行することである。これを図１Ｃに示す。しかし、ターゲットが依然として応答を供給することができない場合は、再試行の要求でさえも別の「ＮＲＡ」応答を受信する可能性がある。この場合は、パイプラインスロットは、何も有益な進展がなかったので無駄になっている。そうではなく、イニシエータは、それがターゲットから通知を受信するまでその再試行を控えるのが得策であろう。ターゲットは、それが要求に対して情報サービスを提供し、応答を時間内に供給できることを確信するまでは通知を送らない。
【０００４】
ターゲットが、それが要求に対して情報サービスを提供するのに利用可能であることをイニシエータに通知することができる方法については、多くの異なる選択肢がある。ほとんどコストを掛けないで追加のワイヤを加えることができる無チップ環境においては、コスト効率の良い１つの機構は、各ターゲットから全てのイニシエータへの通知に対して専用ワイヤを割り当てることである。本明細書における説明のために、この通知ワイヤは、ターゲットとイニシエータの間で作動する「応答フラグ」と呼ばれる。応答フラグがアクティブでない場合は、イニシエータは、対応するターゲットに対してそれが有するいかなる保留中の要求も再試行しない。応答フラグがアクティブになると、イニシエータは、「ＮＲＡ」応答を既に受信してそのターゲットを待っている任意の要求を再試行することを知る。ターゲットは、イニシエータからの要求を受け入れるための別の独立ポートさえも有することができ、これらのポートの各々が、独自の専用応答フラグを有することができることも可能である。図１Ｄ及び図１Ｅは、そのタイミングと応答フラグを使用する例示的システムとを示す。
【発明の開示】
【発明が解決しようとする課題】
【０００５】
従って、応答フラグの有効性を向上させることが必要である。
【課題を解決するための手段】
【０００６】
本発明は、応答フラグの有効性を向上させるために異なる作動モードを提供する。一実施形態においては、ターゲット装置において利用可能な空間がイニシエータによって出された要求に対して情報サービスを提供するのに利用可能である場合、第１のモードは、応答フラグを第１の状態に設定する。ターゲット装置において空間が利用可能であってターゲット装置のポートが使用中でない場合に応答フラグが第１の状態に設定される、第２のモードが設けられる。「ＮＲＡ」応答を受信するとすぐに要求を再発行する従来技術の方法でイニシエータが機能するように応答フラグがいつも第１の状態に設定される、第３のモードが設けられる。早期フロー制御条件が存在する場合に応答フラグが第１の状態に設定される、第４のモードが設けられる。１つ又は複数のモードは、システム製造時か又はその後のシステム設定中に静的に選択することができ、同じくシステムアプリケーション又は環境が要求する時には動的に選択することもできる。
本発明の目標とする特徴及び利点は、以下の詳細説明により当業者には明白であろう。
【発明を実施するための最良の形態】
【０００７】
本発明のシステム及び方法は、イニシエータの要求に応答するのにターゲット装置が利用可能でない場合に利用される応答フラグの状態を判断するための異なるモードを提供する。これは、図２の簡略ブロック図に示すように、パイプラインネットワーク環境において使用することができる。図２は、イニシエータ機能ブロック２０５、２１０、及び２１５とターゲット機能ブロック２２０及び２３０とを示す。機能ブロック２０５、２１０、２１５、２２０、及び２３０は、コンピュータシステム、信号処理システム、又は論理回路装置を含む、様々な論理又は計算システムとすることができる。本明細書における説明のために、イニシエータブロック２０５、２１０、及び２１５は、ネットワーク２３５上でターゲット装置２２０及び２３０に要求を出す。ターゲット装置は、要求を受信して、その要求を出したイニシエータ装置にネットワーク２３５を通じて応答を出す。ターゲット装置２２０及び２３０がイニシエータの要求に応答するのに利用可能でない場合は、利用可能応答なし（ＮＲＡ）応答がネットワーク２３５を通じてイニシエータ装置に送られる。更に、応答フラグは、ターゲット装置２２０及び２３０か又はネットワーク２３５におけるいくつかの条件により、設定又はリセットされる。
【０００８】
図２の実施形態に示すように、各ターゲット装置２２０及び２３０は、各ターゲット２２０及び２３０から全イニシエータブロック２０５、２１０、及び２１５までの専用ワイヤを使用する。すなわち、例えば、ターゲット２２０は、接続２４０を通じて、ブロック２０５、２１０、及び２１５に対する再試行フラグの状態と通信する。ブロック２３０は、接続２４５を通じて通信する。「ＮＲＡ」応答及び応答フラグを使用して、イニシエータ２０５、２１０、及び２１５は、いつ要求の発信を再試行するかをより良く判断することができる。
【０００９】
図２に示す実施形態では、ターゲット装置は、選択可能な異なるモードを含む。これらのモードは、応答フラグがアクティブ状態に設定されるか、又は非アクティブ状態にリセットされる条件を表示する。一実施形態では、モードは、例えば以下に説明されるレジスタ２５５及び２６０などの状態レジスタによって選択可能である。これらのレジスタの状態は、応答フラグ機構によって導体２４５又は２４０上の状態を設定するのに利用される応答フラグの状態を判断するのに制御論理回路２６５によって使用される。レジスタは、ネットワークの設定の時、ネットワークの構築の時、又は、実行時に動的に更新されるか又は再プログラムされる何かの時に設定することができる。代替実施例では、これらのレジスタは、配線論理回路か、又は汎用システムメモリ内のメモリ位置に組み入れることができる。一実施形態では、レジスタは、プログラム可能なソフトウエアである。
【００１０】
図３及び図４は、本発明の教示によって実施することができる異なるモードの作動を示す。図３に示す実施形態では、使用中モードレジスタ３０５は、ソフトウエア書込可能レジスタである。例えば、ターゲットがその一部であるシステムは、使用中モードスイッチ３１０の状態を変える必要がある時に使用中モードレジスタを更新するように構成することができる。使用中モードスイッチは、論理回路を応答フラグを判断するのに使用できるように機能するハードウエア又はソフトウエアスイッチとすることができる。
【００１１】
ターゲットが応答を時間内に供給することができない１つの理由は、それが入ってくる要求をバッファに入れ、要求に対して情報サービスを提供するためのリソースを何も有していないからである。問題は、利用可能なバッファがないか、又は、要求によって目標にされたターゲット装置のポートが、割り込むことができない転送バーストの最中にある別のイニシエータにより現在利用されているか又は占有されているということであろう。この後者の場合、バッファは利用可能であろうが、それらは、転送バーストの最中にあるイニシエータ以外のイニシエータによって使用することができない。
【００１２】
「リソースなし」条件の場合における応答フラグの挙動に対する制御は、本明細書で「使用中モード」と呼ばれるモード制御によって判断される。このモード制御は、システムが設定される時に固定されるか、又は、実行時にプログラムするようにシステムソフトウエアに残される何らかのものとすることができる。一実施形態では、いくつかの使用中モードの任意選択肢は、「リソースなし」条件に対して応答フラグを使用しない、利用可能なバッファがない時又は異なるイニシエータからのバーストでターゲットポートが使用中の時はいつでも応答フラグを使用する、又は、ターゲットポートが異なるイニシエータからのバーストで使用中の時はいつでも応答フラグを使用することを含む。最後の任意選択肢は、バーストの最中にあるイニシエータに優先権を与え、従ってそのバーストを完了させるより良い機会を与えるので有用である。
【００１３】
すなわち、使用中モードスイッチ３１０は、「利用可能応答なし」応答を使用して、バッファが利用可能な場合に応答フラグをアクティブに設定するように設定することができる。代替判断基準は、バッファが利用可能でターゲットポートが使用中でない場合に、フラグをアクティブに設定することである（３２０）。代替的には、フラグは使用されず（３２５）、従って、バッファの状態又はターゲットポートの状態に関係なく常にアクティブに設定される。
【００１４】
代替実施形態では、要求パイプラインに接続した直接のターゲットの下流の異なるターゲットからのフロー制御情報と通信するために、応答フラグ機構の異なる使用が為される。この実施形態では、優先度が高いか又は下流ターゲットからの情報サービスを受けるより良い機会を有することができる他の要求のためにリソースを確保するために、実際にリソースがなくなる前にフロー制御を適用することが有利であろう。本明細書における説明のために、これは、早期フロー制御条件と呼ばれる。早期フロー制御条件の場合の応答フラグの挙動に対する制御は、本明細書で「停止モード」と呼ぶモード制御によって判断される。このモード制御は、システムの実装時に固定することができ、又は、実行時にプログラムするようにシステムソフトウエアに残された何らかのものであり得る。一実施形態では、いくつかの停止モードの任意選択肢は、早期フロー制御条件に対して応答フラグを使用しない、及び下流ターゲットから早期フロー制御が適用されている時はいつでも応答フラグを使用することを含む。
【００１５】
すなわち、図４を参照すると、「ＮＲＡ」応答が出され、応答フラグは、早期フロー制御が非アクティブな場合はアクティブに設定される。代替モードでは、「ＮＲＡ」応答は利用されるがフラグは利用されず、従って、フラグは常にアクティブ状態に設定される。本明細書に説明する使用中モード及び停止モード条件と論理回路とは、一緒に又は別々に使用することができる。更に、要求パイプライン上に「ＮＲＡ」応答をもたらす異なる条件に対処するために、他のモードを同じように実装することができることも想定されている。
【００１６】
一実施形態では、要求パイプライン上に「ＮＲＡ」応答をもたらすそれぞれ異なる条件に対して別々の応答フラグワイヤを使用することができる。他の実施形態では、チップ区域の制約により、いくつかの条件が単一ワイヤを共有することが必要になる場合がある。他の実施形態では、いくつかの条件は、単一の応答フラグを共有する。そのような実施形態では、いくつかの異なる要求が、同じ応答フラグを共有する異なる条件で待機することが可能であり、従って、条件がアクティブになる各イベントは、結合された応答フラグに反映されるべきである。さもなければ、条件が見逃されるかも知れず、要求が永遠に待機する可能性がある。
【００１７】
一実施形態では、いくつかの条件は以下のように結合される。各条件に対して、設定（例えば、アクティブになる）及びリセット（例えば、非アクティブになる）条件は、検知されるか、又は代替的に、一緒に種々の設定条件が検知されるか、又は一緒に種々のリセット条件が検知される。設定がアクティブな場合、それはリセットを隠す。設定及びリセット信号は、設定／リセットラッチ内に供給されて応答フラグを生成する。
【００１８】
一実施形態を図５に示す。しかし、条件Ａに対する「ＮＲＡ」応答を受信した要求は、条件Ｂが、既に消滅し、再試行され、条件Ａが消滅していないために別の「ＮＲＡ」を受信することから、応答フラグをアクティブと見る可能性があることに注意すべきである。これは、応答フラグを共有することのマイナス面であり、応答フラグを共有できることによるコスト低減と相殺されるべきである。
【００１９】
本発明は、少なくとも１つの実施形態に関連して説明された。多くの代替実施形態、変更、変形、及び使用法は、以上の説明に鑑みてそれらが当業者に明らかになるのは確実である。
【図面の簡単な説明】
【００２０】
【図１Ａ】パイプラインネットワーク環境における利用可能応答なし（ＮＲＡ）応答及び再試行フラグの使用を示す従来技術の図である。
【図１Ｂ】パイプラインネットワーク環境における利用可能応答なし（ＮＲＡ）応答及び再試行フラグの使用を示す従来技術の図である。
【図１Ｃ】パイプラインネットワーク環境における利用可能応答なし（ＮＲＡ）応答及び再試行フラグの使用を示す従来技術の図である。
【図１Ｄ】パイプラインネットワーク環境における利用可能応答なし（ＮＲＡ）応答及び再試行フラグの使用を示す従来技術の図である。
【図１Ｅ】パイプラインネットワーク環境における利用可能応答なし（ＮＲＡ）応答及び再試行フラグの使用を示す従来技術の図である。
【図２】本発明のシステムの一実施形態の簡略化されたブロック図である。
【図３】選択された使用中モードに基づく応答フラグ状態の選択を示す図である。
【図４】選択された停止モードに基づく応答フラグ状態の選択を示す一実施形態を示す図である。
【図５】多重入力状態応答フラグを発生させる条件を組み合わせるための論理回路の一実施形態を示す図である。
【符号の説明】
【００２１】
２０５、２１０、２１５  イニシエータ機能ブロック
２２０、２３０  ターゲット機能ブロック
２３５  ネットワーク
２７０  応答フラグ
【図１Ａ】
2004533066.tif 000003
【図１Ｂ】
2004533066.tif 000004
【図１Ｃ】
2004533066.tif 000005
【図１Ｄ】
2004533066.tif 000006
【図１Ｅ】
2004533066.tif 000007
【図２】
2004533066.tif 000008
【図３】
2004533066.tif 000009
【図４】
2004533066.tif 000010
【図５】
2004533066.tif 000011
【国際公開パンフレット】
2004533066.tif 000012
2004533066.tif 000013
2004533066.tif 000014
2004533066.tif 000015
2004533066.tif 000016
2004533066.tif 000017
2004533066.tif 000018
2004533066.tif 000019
2004533066.tif 000020
2004533066.tif 000021
2004533066.tif 000022
2004533066.tif 000023
2004533066.tif 000024
2004533066.tif 000025
2004533066.tif 000026
2004533066.tif 000027
2004533066.tif 000028
2004533066.tif 000029
2004533066.tif 000030
【国際調査報告】
2004533066.tif 000031